【手続補正書】
【提出日】平成24年10月11日(2012.10.11)
【手続補正１】
【補正対象書類名】特許請求の範囲
【補正対象項目名】全文
【補正方法】変更
【補正の内容】
【特許請求の範囲】
【請求項１】
１つ以上の第１の受信者へデータを伝えるための少なくとも１つの原信号を送信するために第１のユーザーによって使用され得る周波数スペクトルの一部において第２のユーザーとして通信するように通信装置を動作させる方法であって、
検出された原信号に応答して、
前記少なくとも１つの原信号についての第１の変調スキームの少なくとも１つの特性を決定するステップと、
前記周波数スペクトルの一部内のチャネルにおいて通信するために、第２の信号について、前記第１の変調スキームを使用する復号を混乱させない第２の変調スキームを選択するステップと
を含み、前記第２の変調スキームは情報を通信するために前記第２の信号における変化を含む方法。
【請求項２】
前記第２の変調スキームを選択するステップは、
複数の変調スキームのうち少なくとも２つから選択されたシンボルを含む導出された変調スキームを定義するステップ
を含む請求項１に記載の方法。
【請求項３】
前記導出された変調スキームに従ってデータを符号化することにより、前記第２の信号を生成するステップと、
前記符号化されたデータを含む前記第２の信号を送信するステップと
をさらに含む請求項２に記載の方法。
【請求項４】
導出された変調スキームを定義する前記ステップは、
前記第２の信号が、前記少なくとも１つの原信号の復号化中に前記１つ以上の第１の受信者によって無視されるように、前記導出された変調スキームを定義するステップ
を含む請求項２に記載の方法。
【請求項５】
導出された変調スキームを定義する前記ステップは、
前記導出された変調スキームについて、前記少なくとも２つの変調スキームに含まれるシンボルの組を選択するステップを含み、前記シンボルの組は、前記少なくとも１つの原信号についての前記第１の変調スキームの変調シンボルの第１の組に対して相関の低いシンボルを含む請求項２に記載の方法。
【請求項６】
前記周波数スペクトルの前記一部を使用して、前記第１のユーザーを検出するステップ
をさらに含む請求項１に記載の方法。
【請求項７】
前記一部を使用して前記第１のユーザーを検出する前記ステップは、前記少なくとも１つの原信号の特性に関する通信装置についての所定の情報に基づいて前記第１のユーザーを検出するステップを含む請求項６に記載の方法。
【請求項８】
前記周波数スペクトルの一部を使用して前記第１のユーザーを検出する前記ステップは、前記第１のユーザーによる、前記チャネルに隣接する別のチャネルの使用を検出するステップを含む請求項６に記載の方法。
【請求項９】
前記第１のユーザーは前記チャネルに隣接する第２のチャネルを介してテレビ信号を放送するテレビ放送局であり、前記チャネルは前記第２のチャネルと第３のチャネルとの間の余白である請求項１に記載の方法。
【請求項１０】
変調器を含む無線機であって、設定可能な変調スキームに従って認可されたスペクトルのチャネルにおいて送信するように設定可能である、無線機と、
前記無線機のためのコントローラーであって、
前記チャネルにおける原信号の通信を検知し、前記原信号は前記認可されたスペクトルの一部についてのライセンシーによって送信され、
前記原信号についての第１の変調スキームの少なくとも１つの特性を決定し、
前記第１の変調スキームを使用する復号を混乱させない第２の変調スキームを選択し、
前記第２の変調スキームにより第２の信号を通信するように前記無線機を設定する
ように構成されたコントローラーと
を備える装置。
【請求項１１】
前記第２の変調スキームの選択は、
複数の変調スキームのうち少なくとも２つから選択されるシンボルを含む導出された変調スキームを定義することを含み、該シンボルは前記少なくとも１つの原信号について使用される前記第１の変調スキームの第１の変調シンボルに対して相関の低いシンボルを含む請求項１０に記載の装置。
【請求項１２】
前記導出された変調スキームを定義することは、
前記第２の信号においてデータを送信するための第２の符号系列を選択することを含み、前記第２の符号系列は前記第１の信号においてデータを送信するために使用される前記第１の変調スキームの第１の符号系列に対して相関が低い、請求項１０に記載の装置。
【請求項１３】
前記無線機は少なくとも第１のあらかじめ設計された信号及び第２のあらかじめ設計された信号に従って通信するように構成され、
前記第２の変調スキームにより第２の信号を通信するように前記無線機を設定することは、前記第１のあらかじめ設計された信号に従って前記第２の信号の第１のシンボルを送信し、前記第２のあらかじめ設計された信号に従って前記第２の信号の第２のシンボルを送信するように前記無線機を設定することを含む請求項１０に記載の装置。
【請求項１４】
前記チャネルにおける原信号の通信を検知することは、前記チャネルに隣接する第２のチャネルにおける原信号の通信を検知することを含む請求項１０に記載の装置。
【請求項１５】
前記原信号は前記チャネルに隣接する第２のチャネルを介して放送されるテレビ信号であり、前記チャネルは前記第２のチャネルと第３のチャネルとの間の余白である請求項１０に記載の装置。
【請求項１６】
コンピューターにより実行されると、無線機を動作させる方法を前記コンピューターに実行させるコンピューター実行可能命令が符号化された少なくとも１つのコンピューター読み取り可能な記憶媒体であって、前記無線機は、複数の符号化スキームの各々に従って動作するように構成され、前記複数の符号化スキームは第１の符号化スキーム及び第２の符号化スキームを含み、各々の符号化スキームは信号パラメーターに対応する複数のシンボルを含み、前記方法は、
第２の信号についての導出される符号化スキームを定義するステップであって、前記導出される符号化スキームは前記複数の符号化スキームのうちの少なくとも２つから選択され、前記導出される符号化スキームのシンボルは、前記第１の符号化スキームの第１のシンボル及び前記第２の符号化スキームの第２のシンボルを含み、前記第１のシンボル及び前記第２のシンボルは、情報を通信するために前記第２の信号を変化させるための信号パラメーターに対応する、ステップと、
前記情報が通信されるときに前記複数の符号化スキームのうちの前記少なくとも２つに従って動作するように前記無線機の設定を変更することにより、前記導出される符号化スキームによって符号化された情報を通信するステップと
を含む、少なくとも１つのコンピューター読み取り可能な記憶媒体。
【請求項１７】
前記符号化された情報を通信するステップは、シンボルごとに、前記情報の通信における使用のために前記複数の符号化スキームのうちのある符号化スキームを選択するステップを含む請求項１６に記載の少なくとも１つのコンピューター読み取り可能な記憶媒体。
【請求項１８】
前記導出される符号化スキームを定義するステップは、
前記第２の信号が原信号を混乱させないように、前記導出される符号化スキームに従って送信される前記第２の信号が前記原信号の宛先の受信手続によって無視されるよう、前記導出される符号化スキームを定義するステップを含む請求項１６に記載の少なくとも１つのコンピューター読み取り可能な記憶媒体。
【請求項１９】
前記情報が通信されるときに前記複数の符号化スキームのうちの前記少なくとも２つに従って動作するように前記無線機の設定を変更することは、第１の符号化スキームから第１のシンボルを送信するように前記無線機の設定を変更すること及び第２の符号化スキームから第２のシンボルを送信するように前記無線機の設定を変更することを含む請求項１６に記載の少なくとも１つのコンピューター読み取り可能な記憶媒体。
【請求項２０】
前記第１のシンボル及び前記第２のシンボルの各々は、シンボルに対応する信号が生成される位相角及びパワーを定義する位相パワー対を含む請求項１９に記載の少なくとも１つのコンピューター読み取り可能な記憶媒体。